(57)【要約】【課題】複数の位置決め軸が嵌合される磁性体は、複数の導電コイルに対して誘導し、僅かな回転だけで安定した倍の誘導起電圧が供給され、発光により警告する自転車の発光ペダル構造を提供する。【解決手段】自転車の発光ペダル構造は、自転車のクランクへ取り付けられ、ペダル本体１、発電装置２、軸杆３及び蓋体４を備える。ペダル本体１は、発電装置２が枢着される収容室１１が一端に凹設される。収容室１１の中央部には、軸杆３を挿通する枢着孔４１が形成される。収容室１１は、枢着孔４１に周設された複数の枢着ベース４２と、収容室１１内の周縁部に隣接するように形成された複数の締結孔１３と、収容室１１内の左右両側に設けられて内向きに延びた発光槽１４とを有する。収容室１１の外周囲には、挿入口１５が両側面に対をなすように設けられ、挿入口１５には透光板１５１が挿設される。【選択図】図２
0003186980.tif 000002
【実用新案登録請求の範囲】
【請求項１】
自転車のクランクへ取り付けられ、ペダル本体、発電装置、軸杆及び蓋体を備えた自転車の発光ペダル構造であって、
ペダル本体は、発電装置が枢着される収容室が一端に凹設され、収容室の中央部には、軸杆を挿通する枢着孔が形成され、収容室内は、枢着孔に周設された複数の枢着ベースと、収容室内の周縁部に隣接するように形成された複数の締結孔と、収容室内の左右両側に設けられて内向きに延びた発光槽と、を有し、収容室の外周囲には、挿入口が両側面に対をなすように設けられ、挿入口には透光板が挿設され、
発電装置は、ペダル本体の収容室内に取り付けられ、複数の位置決め軸を有し、複数の位置決め軸は、ペダル本体の複数の枢着ベースへ挿設され、複数の磁性体が嵌合され、複数の位置決め軸及び磁性体に嵌合される導電部材は、第１の導電片と、第２の導電片と、第１の導電片と第２の導電片との間に配設された複数の導電コイルとからなり、第１の導電片、第２の導電片及び複数の導電コイルの接続端には、その内縁が対応するように折り曲げられて延びた多数の第１の導電部及び第２の導電部が設けられ、第１の導電部及び第２の導電部は、複数の導電コイルの内壁面に互いに間隔をあけてずらして当接され、第１の導電片及び第２の導電片の左右両側には、ＩＣ制御用回路基板と電気的に接続される導電端子が対をなすように設けられ、ＩＣ制御用回路基板は、複数の発光素子を有し、ペダル本体の収容室の両側に形成された発光槽内に配設され、伝動部材は、軸杆の前端に嵌合される大歯車と、複数の位置決め軸の前端に嵌合される複数の小歯車とから構成され、
軸杆は、発電装置及びペダル本体に形成した枢着孔に水平状態で取り付けられ、軸杆の前後端は、自転車のクランクに螺着し、ペダル本体の２つの螺着端には、螺合部材が螺着され、軸杆は、ペダル本体を回転させて嵌合させる枢着段と、軸杆の枢着段をペダル本体へ挿設するとペダル本体に当接される当接縁と、発電装置の伝動部材の大歯車が嵌合される環溝と、工具を使用して組み立てる際に駆動される駆動段と、を有し、
蓋体は、凹溝状を呈してペダル本体をカバーして閉じた後に螺着させ、蓋体内の中央部には、軸杆を挿通して枢着させる枢着孔が形成され、蓋体内には、枢着孔に周設された複数の枢着ベースと、蓋体内の縁部に隣接した複数の穿設孔と、蓋体内の両側壁に突設される複数の当接ブロックとを有し、発電装置の導電部材に当接させ、蓋体の外周囲には、ペダル本体の挿入口に挿設される挿入杆が設けられ、
発電装置の複数の位置決め軸と複数の磁性体とを嵌合させ、ペダル本体の枢着ベースへ挿設させ、
発電装置の導電部材に設けた複数の導電コイルが複数の位置決め軸に嵌合され、複数の位置決め軸に嵌合される複数の磁性体と誘導接触され、
発電装置の伝動部材に設けた大歯車及び小歯車を軸杆の環溝と複数の位置決め軸の軸ピンの前端に嵌合し、大歯車と小歯車とが噛合され、蓋体に設けた複数の枢着ベースを介して複数の位置決め軸の他端に接続させて閉じ、軸杆と発電装置の複数の位置決め軸との間で回転すると、異なる軸が異なる速度を有する親子軸受けにより連動自在な状態となり、伝動部材の大歯車と小歯車とが噛合されて回転し、位置決め軸に嵌合された磁性体が複数の導電コイルに対して誘導し、僅かな回転により誘導起電圧が生成され、誘導起電圧を上昇させて発光素子の励起に必要な正電圧を安定させて倍にすることを特徴とする自転車の発光ペダル構造。
【請求項２】
発電装置の位置決め軸は、ペダル本体の収容室内に設けられた枢着ベースに枢着された軸ピンと、蓋体内に設けられた枢着ベースの軸ピンと、伝動部材の小歯車が移動するときに当接される当接縁と、磁性体が嵌合される軸壁と、軸壁の一端に隣接したリング状翼と、軸壁とリング状翼とが交差する端部に設けられた複数の位置規制部とを有することを特徴とする請求項１に記載の自転車の発光ペダル構造。
【請求項３】
発電装置の導電部材の両側に設けられた導電端子に接続されたＩＣ制御用回路基板間には、容量式蓄電器及び放電装置が配設されることを特徴とする請求項１に記載の自転車の発光ペダル構造。
【請求項４】
発電装置の導電部材が生成する誘導起電圧は、両側に設けられた導電端子から順次、容量式蓄電器、ＩＣ制御用回路基板、放電装置、発光素子へ送られ、低速走行したり走行停止したりする場合に継続的に発光することを特徴とする請求項３に記載の自転車の発光ペダル構造。
【請求項５】
発電装置の導電部材の両側に設けられた導電端子に接続されたＩＣ制御用回路基板間には、電圧安定装置が配設され、
導電部材が生成する誘導起電圧は、両側に設けられた導電端子から順次、電圧安定装置、容量式蓄電器、ＩＣ制御用回路基板、放電装置、発光素子へ送られ、高圧誘導起電圧が流入してＩＣ制御用回路基板を損壊させることを防ぐことを特徴とする請求項３に記載の自転車の発光ペダル構造。
【考案の詳細な説明】
【技術分野】
【０００１】
本考案は、自転車のペダル構造に関し、特に、自転車の発光ペダル構造に関する。
【背景技術】
【０００２】
従来、自転車の発光型ペダルは、互いに回転運動する磁性体及びコイル部材を利用して生成した誘導起電力により発光部材を発光させる。図９に示すように、従来の発光ペダル５は、通常、自転車のクランク６の一端に形成された螺着部６１へ取り付けられ、クランク６の他端に形成された枢着部６２を介して自転車の駆動歯車軸心６３に固着される。発光ペダル５は、クランク６上に固着された軸杆５１と、軸杆５１に外嵌されたペダル本体５２と、軸杆５１とペダル本体５２との間に取り付けられた発電装置５３と、発電装置５３により励起されて警告光を発する複数の発光素子５６と、発電装置５３を覆って保護する蓋体５７と、クランク６の一側に近接されて軸杆５１に周設される収容室５２１と、収容室５２１の周囲に形成された発光槽５２２と、を含む。発電装置５３は、軸杆５１とペダル本体５２との間に配設され、軸杆５１に外嵌された磁性体５４と、ペダル本体５２の収容室５２１内に固定されるとともに磁性体５４の周囲に巻き付けて設置されたコイル部材５５と、を含む。コイル部材５５と磁性体５４とが相対的に回転すると、誘導起電圧が生成される。磁性体５４は、円形状永久磁石である。コイル部材５５は、巻かれた導線を内部に有するリング状のコイル本体５５１と、互いに対をなすようにコイル本体５５１の端面に固定されて電圧を出力する第１の電極片５５２及び第２の電極片５５２’とを有する。第１の電極片５５２及び第２の電極片５５２’は、発光素子５６とそれぞれ電気的に接続され、内縁から互いに折り曲げられて三角片状に形成された第１の極片部５５３及び第２の極片部５５３’を多数有し、第１の極片部５５３及び第２の極片部５５３’は間隔をあけ、かつ、ずれるようにコイル本体５５１の内壁面に当接される。しかし、このような構造の場合、一般の使用状況において、ライダーが発光ペダル５を漕いで自転車が正常な速度で走行する際、軸杆５１に対して回転するペダル本体５２の速度により発電装置５３に誘導起電圧が発生し、発光ダイオードの励起に十分な正電圧が供給される。しかし、ペダルを漕ぐ速度が遅い場合、供給される誘導起電圧が発光ダイオードを励起させるのに十分でなく、発光ダイオードが発光しないことがある。また、紅信号などにより自転車の走行が停止した場合も発光しなくなる。
【考案の概要】
【考案が解決しようとする課題】
【０００３】
本考案の目的は、複数の位置決め軸が嵌合される磁性体が複数の導電コイルに対して誘導し、僅かな回転だけで安定した倍の誘導起電圧が供給され、発光により警告する自転車の発光ペダル構造を提供することにある。
【課題を解決するための手段】
【０００４】
上記課題を解決するために、本考案の第１の形態によれば、自転車のクランクへ取り付けられ、ペダル本体、発電装置、軸杆及び蓋体を備えた自転車の発光ペダル構造であって、ペダル本体は、発電装置が枢着される収容室が一端に凹設され、収容室の中央部には、軸杆を挿通する枢着孔が形成され、収容室内は、枢着孔に周設された複数の枢着ベースと、収容室内の周縁部に隣接するように形成された複数の締結孔と、収容室内の左右両側に設けられて内向きに延びた発光槽と、を有し、収容室の外周囲には、挿入口が両側面に対をなすように設けられ、挿入口には透光板が挿設され、発電装置は、ペダル本体の収容室内に取り付けられ、複数の位置決め軸を有し、複数の位置決め軸は、ペダル本体の複数の枢着ベースへ挿設され、複数の磁性体が嵌合され、複数の位置決め軸及び磁性体に嵌合される導電部材は、第１の導電片と、第２の導電片と、第１の導電片と第２の導電片との間に配設された複数の導電コイルとからなり、第１の導電片、第２の導電片及び複数の導電コイルの接続端には、その内縁が対応するように折り曲げられて延びた多数の第１の導電部及び第２の導電部が設けられ、第１の導電部及び第２の導電部は、複数の導電コイルの内壁面に互いに間隔をあけてずらして当接され、第１の導電片及び第２の導電片の左右両側には、ＩＣ制御用回路基板と電気的に接続される導電端子が対をなすように設けられ、ＩＣ制御用回路基板は、複数の発光素子を有し、ペダル本体の収容室の両側に形成された発光槽内に配設され、伝動部材は、軸杆の前端に嵌合される大歯車と、複数の位置決め軸の前端に嵌合される複数の小歯車とから構成され、軸杆は、発電装置及びペダル本体に形成した枢着孔に水平状態で取り付けられ、軸杆の前後端は、自転車のクランクに螺着し、ペダル本体の２つの螺着端には、螺合部材が螺着され、軸杆は、ペダル本体を回転させて嵌合させる枢着段と、軸杆の枢着段をペダル本体へ挿設するとペダル本体に当接される当接縁と、発電装置の伝動部材の大歯車が嵌合される環溝と、工具を使用して組み立てる際に駆動される駆動段と、を有し、蓋体は、凹溝状を呈してペダル本体をカバーして閉じた後に螺着させ、蓋体内の中央部には、軸杆を挿通して枢着させる枢着孔が形成され、蓋体内には、枢着孔に周設された複数の枢着ベースと、蓋体内の縁部に隣接した複数の穿設孔と、蓋体内の両側壁に突設される複数の当接ブロックとを有し、発電装置の導電部材に当接させ、蓋体の外周囲には、ペダル本体の挿入口に挿設される挿入杆が設けられ、発電装置の複数の位置決め軸と複数の磁性体とを嵌合させ、ペダル本体の枢着ベースへ挿設させ、発電装置の導電部材に設けた複数の導電コイルが複数の位置決め軸に嵌合され、複数の位置決め軸に嵌合される複数の磁性体と誘導接触され、発電装置の伝動部材に設けた大歯車及び小歯車を軸杆の環溝と複数の位置決め軸の軸ピンの前端に嵌合し、大歯車と小歯車とが噛合され、蓋体に設けた複数の枢着ベースを介して複数の位置決め軸の他端に接続させて閉じ、軸杆と発電装置の複数の位置決め軸との間で回転すると、異なる軸が異なる速度を有する親子軸受けにより連動自在な状態となり、伝動部材の大歯車と小歯車とが噛合されて回転し、位置決め軸に嵌合された磁性体が複数の導電コイルに対して誘導し、僅かな回転により誘導起電圧が生成され、誘導起電圧を上昇させて発光素子の励起に必要な正電圧を安定させて倍にすることを特徴とする自転車の発光ペダル構造が提供される。
【０００５】
発電装置の位置決め軸は、ペダル本体の収容室内に設けられた枢着ベースに枢着された軸ピンと、蓋体内に設けられた枢着ベースの軸ピンと、伝動部材の小歯車が移動するときに当接される当接縁と、磁性体が嵌合される軸壁と、軸壁の一端に隣接したリング状翼と、軸壁とリング状翼とが交差する端部に設けられた複数の位置規制部とを有することが好ましい。
【０００６】
発電装置の導電部材の両側に設けられた導電端子に接続されたＩＣ制御用回路基板間には、容量式蓄電器及び放電装置が配設されることが好ましい。
【０００７】
発電装置の導電部材が生成する誘導起電圧は、両側に設けられた導電端子から順次、容量式蓄電器、ＩＣ制御用回路基板、放電装置、発光素子へ送られ、低速走行したり走行停止したりする場合に継続的に発光することが好ましい。
【０００８】
発電装置の導電部材の両側に設けられた導電端子に接続されたＩＣ制御用回路基板間には、電圧安定装置が配設され、導電部材が生成する誘導起電圧は、両側に設けられた導電端子から順次、電圧安定装置、容量式蓄電器、ＩＣ制御用回路基板、放電装置、発光素子へ送られ、高圧誘導起電圧が流入してＩＣ制御用回路基板を損壊させることを防ぐことが好ましい。
【図面の簡単な説明】
【０００９】
【図１】図１は、本考案の一実施形態に係る自転車の発光ペダル構造のペダル本体、発電装置及び軸杆が蓋体により閉じられていないときの状態を示す分解斜視図である。
【図２】図２は、本考案の一実施形態に係る自転車の発光ペダル構造の発光ペダルを示す分解斜視図である。
【図３】図３は、本考案の一実施形態に係る自転車の発光ペダル構造の発電装置を示す分解斜視図である。
【図４】図４は、本考案の一実施形態に係る自転車の発光ペダル構造の発光ペダルを示す横断面図である。
【図５】図５は、図４の部分拡大図である。
【図６】図６は、本考案の一実施形態に係る自転車の発光ペダル構造の発光ペダルの発電装置の伝動部材を示す動作図である。
【図７】図７は、図６の部分拡大図である。
【図８】図８は、本考案の一実施形態に係る自転車の発光ペダル構造の発光ペダルの発電装置を示す斜視図である。
【図９】図９は、従来技術の発光ペダルを自転車のクランクへ取り付けたときの状態を示す分解斜視図である。
【考案を実施するための形態】
【００１０】
以下、本考案の実施形態について図に基づいて説明する。なお、これによって本考案が限定されるものではない。
【００１１】
図１及び図３を参照する。図１及び図３に示すように、本考案の一実施形態に係る自転車の発光ペダル構造の発光ペダルは、自転車のクランクへ外付けされ、少なくともペダル本体１、発電装置２、軸杆３及び蓋体４から構成される。
【００１２】
ペダル本体１は、全体が扁平状長方体を呈し、発電装置２が枢着される収容室１１が一端に凹設されている。収容室１１の中央部には、軸杆３を挿通する枢着孔１１１が形成される。収容室１１は、枢着孔１１１に周設された複数の枢着ベース１２と、収容室１１内の周縁部に隣接するように形成された複数の締結孔１３と、収容室１１内の左右両側に設けられて内向きに延びた発光槽１４と、を有する。ペダル本体１の収容室１１内に設けた複数の枢着ベース１２内には、金属片が埋設された断熱層１２１を有する。収容室１１の外周囲には、挿入口１５が両側面に対をなすように設けられ、挿入口１５に透光板１５１を挿設する。
【００１３】
発電装置２は、ペダル本体１の収容室１１内に取り付けられ、複数の位置決め軸２１を有する。複数の位置決め軸２１は、ペダル本体１の複数の枢着ベース１２へ挿設され、複数の磁性体２２が嵌合される。複数の位置決め軸２１及び磁性体２２に嵌合される導電部材２３は、第１の導電片２３１と、第２の導電片２３２と、第１の導電片２３１と第２の導電片２３２との間に巻き付けて設置された複数の導電コイル２３３とからなる。第１の導電片２３１、第２の導電片２３２及び複数の導電コイル２３３の接続端には、その内縁が対応するように折り曲げられて延びた多数の第１の導電部２３４及び第２の導電部２３５が設けられ、第１の導電部２３４及び第２の導電部２３５は、複数の導電コイル２３３の内壁面に互いに間隔をあけ、かつ、ずらして当接されている。複数の導電コイル２３３は、複数の位置決め軸２１に嵌合され、位置決め軸２１に嵌合された磁性体２２と誘導接触される。複数の導電コイル２３３が複数の磁性体２２に対して回転すると、誘導により正弦波電圧が出力される。第１の導電片２３１及び第２の導電片２３２の左右両側には、ＩＣ制御用回路基板２３８と電気的に接続される導電端子２３７が対をなすように設けられている。ＩＣ制御用回路基板２３８は、複数の発光素子２３８１を有し、ペダル本体１の収容室１１の両側に形成された発光槽１４内に配設される。伝動部材２４は、軸杆３の前端に嵌合される大歯車２４１と、複数の位置決め軸２１の前端に嵌合される複数の小歯車２４２とから構成される。発電装置２の位置決め軸２１は、ペダル本体１の収容室１１内に設けられた枢着ベース１２に枢着された軸ピン２１１と、伝動部材２４の小歯車２４２が移動するときに当接される当接縁２１２と、磁性体２２が嵌合される軸壁２１３と、軸壁２１３の一端に隣接し、外方へ拡張して延びるリング状翼２１４と、軸壁２１３とリング状翼２１４とが交差する端部に設けられた複数の位置規制部２１５とを含む。発電装置２の磁性体２２は、位置決め軸２１に設けた位置規制部２１５の位置決め槽２２１に対応して嵌合される。磁性体２２の位置決め槽２２１は、位置決め軸２１の位置規制部２１５より大きい。また、発電装置２の導電部材２３の中央部には、第１の導電片２３１及び第２の導電片２３２を挿通する枢着孔２３６が形成されている。枢着孔２３６には、軸杆３が枢着される。
【００１４】
軸杆３は、発電装置２及びペダル本体１に形成した枢着孔２３６，１１１に水平状態で取り付けられる。軸杆３の前後端は、自転車のクランクに螺着し、ペダル本体１の２つの螺着端３１に螺合部材３１１が螺着される。軸杆３は、ペダル本体１を回転させて嵌合させる枢着段３２と、軸杆３の枢着段３２をペダル本体１へ挿設するとペダル本体１に当接される当接縁３３と、発電装置２の伝動部材２４の大歯車２４１が嵌合される環溝３４と、工具を使用して組み立てる際に駆動される駆動段３５と、を有する。
【００１５】
蓋体４は、凹溝状を呈してペダル本体１をカバーして閉じた後に螺着させる。蓋体４内の中央部には、軸杆３を挿通して枢着させる枢着孔４１が形成されている。蓋体４内には、枢着孔４１に周設された複数の枢着ベース４２と、蓋体４内の縁部に隣接した複数の穿設孔４５と、蓋体４内の両側壁に突設される複数の当接ブロック４３とを有し、発電装置２の導電部材２３に当接される。蓋体４の外周囲には、ペダル本体１の挿入口１５に挿設される挿入杆４４が設けられ、螺着部材４５１により蓋体４とペダル本体１とを螺着して固定させる。蓋体４内に設けた複数の枢着ベース４２内には、金属片が埋設されて断熱層４２１が形成される。
【００１６】
図４及び図５を参照する。図４及び図５に示すように、本考案の一実施形態に係る自転車の発光ペダル構造の発光ペダルは、ペダル本体１と、ペダル本体１に取り付けられた発電装置２と、発電装置２及びペダル本体１に挿設された軸杆３と、を含む。軸杆３の前後端に設けた２つの螺着端３１は、自転車のクランクに螺着され、螺合部材３１１を介してペダル本体１に螺着されて蓋体４が閉じられる。ペダル本体１の収容室１１には、発電装置２が枢着されて設置される。発電装置２の複数の位置決め軸２１と複数の磁性体２２とを嵌合させる。磁性体２２の複数の位置決め槽２２１は、複数の位置決め軸２１の位置規制部２１５が嵌合され、複数の位置決め軸２１のリング状翼２１４に当接させる。位置決め軸２１の一端の軸ピン２１１をペダル本体１の収容室１１の枢着ベース１２へ挿設させる。収容室１１の複数の枢着ベース１２と蓋体４の複数の枢着ベース４２とを対応させ、複数の枢着ベース１２，４２内に金属片をそれぞれ埋設して断熱層１２１，４２１を形成する。蓋体４内の両側壁に設けた複数の当接ブロック４３は、発電装置２に当接された導電部材２３を緩め、導電部材２３の複数の導電コイル２３３が複数の位置決め軸２１に嵌合され、複数の位置決め軸２１に嵌合される複数の磁性体２２と誘導接触される。発電装置２の伝動部材２４に設けた大歯車２４１及び小歯車２４２を軸杆３の環溝３４と複数の位置決め軸２１の軸ピン２１１の前端に嵌合し、噛合状態にする。ここで、伝動部材２４の大歯車２４１と小歯車２４２との間に、伝動ベルトなどを掛架し、嵌合して回転自在の状態にし、蓋体４に設けた複数の枢着ベース４２を介して複数の位置決め軸２１の軸ピン２１１の他端に接続させてもよい。蓋体４の外周囲に対をなすように設けられた挿入杆４４を、ペダル本体１の挿入口１５に挿設して蓋を閉じ、軸杆３と発電装置２の複数の位置決め軸２１との間で回転すると、異なる軸が異なる速度を有する親子軸受けにより連動自在な状態となり、伝動部材２４の大歯車２４１と小歯車２４２とが噛合されて回転し、位置決め軸２１に嵌合された磁性体２２が複数の導電コイル２３３に対して誘導し、僅かな回転により誘導起電圧が生成され、誘導起電圧を上昇させて発電装置２のＩＣ制御用回路基板２３８に設けられた発光素子２３８１の励起に必要な正電圧を安定させて倍にする。ペダル本体１の収容室１１の両側に形成した発光槽１４内に複数の発光素子２３８１を配置し、ペダル本体１の挿入口１５に取り付けた透光板１５１により光を拡散させて光警告効果を得る。
【００１７】
図６及び図７を参照する。図６及び図７に示すように、発電装置２の複数の位置決め軸２１に設けた軸壁２１３には、複数の磁性体２２が嵌合される。複数の磁性体２２は、円環状の永久磁石であり、その円周方向に沿って多数のＮ磁極及びＳ磁極が間隔をおいて配置されている。図７では分かり易いように簡単に１つのＮ磁極及び１つのＳ磁極だけが表わされている。複数の磁性体２２の位置決め槽２２１は、複数の位置決め軸２１の位置規制部２１５に嵌合されてリング状翼２１４に当接される。複数の位置決め軸２１の位置規制部２１５は、複数の磁性体２２の位置決め槽２２１の範囲内で僅かに回転可能である。導電部材２３は、第１の導電片２３１及び第２の導電片２３２と、第１の導電片２３１と第２の導電片２３２との間に設けられた複数の導電コイル２３３とを有する。第１の導電片２３１及び第２の導電片２３２と、複数の導電コイル２３３の接続端とは内縁が対向して折り曲げられて延びて三角片状に形成され、第１の導電部２３４及び第２の導電部２３５が形成されている。第１の導電部２３４及び第２の導電部２３５は、互いに間隔をあけ、かつ、ずらした状態で複数の導電コイル２３３の内壁面に当接され、伝動部材２４の大歯車２４１が軸杆３の前端に嵌合されて複数の小歯車２４２が複数の位置決め軸２１の軸ピン２１１の前端に嵌合され、軸杆３と発電装置２の複数の位置決め軸２１との間で回転すると、異なる軸が異なる速度を有する親子軸受けにより連動状態となり、伝動部材２４の大歯車２４１と小歯車２４２との間が噛合されて回転すると、位置決め軸２１に嵌合された磁性体２２が、複数の導電コイル２３３に対して誘導し、僅かな幅で回転して誘導起電圧が生成される。
【００１８】
本実施形態の発電装置２の導電部材２３の両側に設けられた導電端子２３７に接続されたＩＣ制御用回路基板２３８間には、容量式蓄電器２５及び放電装置２６が配設される。発電装置２の導電部材２３が生成する誘導起電圧は、両側に設けられた導電端子２３７から順次、容量式蓄電器２５、ＩＣ制御用回路基板２３８、放電装置２６、発光素子２３８１へ送られ、低速走行したり走行停止したりする場合にＩＣ制御用回路基板２３８の発光素子２３８１を継続的に発光させる。発電装置２の導電部材２３の両側に設けられた導電端子２３７に接続されたＩＣ制御用回路基板２３８間には、電圧安定装置２７が配設される。発電装置２の導電部材２３が生成する誘導起電圧は、両側に設けられた導電端子２３７から順次、電圧安定装置２７、容量式蓄電器２５、ＩＣ制御用回路基板２３８、放電装置２６、発光素子２３８１へ送られて高圧誘導起電圧が流入してＩＣ制御用回路基板２３８が損壊することを防ぐ（図８参照）。
【００１９】
上述したことから分かるように、本考案の自転車の発光ペダル構造は、以下（１）〜（４）の長所を有する。
（１）軸杆３と発電装置２の複数の位置決め軸２１との間で回転するときは、異なる軸が異なる速度を有する親子軸受けの連動状態にすることにより、伝動部材２４の大歯車２４１と小歯車２４２とが噛合状態となり、位置決め軸２１に嵌合された各磁性体２２が駆動されると複数の導電コイル２３３に対して誘導し、僅かな幅で回転されるだけで誘導起電圧が生成され、誘導起電圧を高めて発光部材の励起に必要な正電圧を安定させて倍にする。
（２）ライダーがペダルを低速で漕いだり自転車の走行を停止したりするときは、発電装置２の導電部材２３の両側に設けられた導電端子２３７に接続されたＩＣ制御用回路基板２３８間に容量式蓄電器２５及び放電装置２６が配設され、容量式蓄電器２５に予め蓄えておいた電力を放電装置２６へ供給し、発光素子２３８１を継続的に発光させることができる。
（３）ライダーがペダルを中速で漕ぐときは、発電装置２の導電部材２３の両側に設けられた導電端子２３７に接続されたＩＣ制御用回路基板２３８間に配設した電圧安定装置２７を利用し、ＩＣ制御用回路基板２３８間に設けた発光素子２３８１へ誘導起電圧を供給して発光させる。
（４）ライダーがペダルを高速で漕いだり自転車の走行を停止したりするときは、発電装置２の導電部材２３の両側に設けた導電端子２３７に接続されたＩＣ制御用回路基板２３８間に配設した導電端子２３７を利用し、高圧誘導起電圧の電圧を下げ、下げた後の誘導起電圧を容量式蓄電器２５、ＩＣ制御用回路基板２３８、放電装置２６、発光素子２３８１へ供給して発光させ、高圧誘導起電圧が流入してＩＣ制御用回路基板２３８を損壊させたり、電流が多すぎて負荷が高くなりすぎて放電されることを防ぐ。
【００２０】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２１】
１      ペダル本体
２      発電装置
３      軸杆
４      蓋体
５      発光ペダル
６      クランク
１１    収容室
１２    枢着ベース
１３    締結孔
１４    発光槽
１５    挿入口
２１    位置決め軸
２２    磁性体
２３    導電部材
２４    伝動部材
２５    容量式蓄電器
２６    放電装置
２７    電圧安定装置
３１    螺着端
３２    枢着段
３３    当接縁
３４    環溝
３５    駆動段
４１    枢着孔
４２    枢着ベース
４３    当接ブロック
４４    挿入杆
４５    穿設孔
５１    軸杆
５２    ペダル本体
５３    発電装置
５４    磁性体
５５    コイル部材
５６    発光素子
５７    蓋体
６１    螺着部
６２    枢着部
６３    駆動歯車軸心
１１１  枢着孔
１２１  断熱層
１５１  透光板
２１１  軸ピン
２１２  当接縁
２１３  軸壁
２１４  リング状翼
２１５  位置規制部
２２１  位置決め槽
２３１  第１の導電片
２３２  第２の導電片
２３３  導電コイル
２３４  第１の導電部
２３５  第２の導電部
２３６  枢着孔
２３７  導電端子
２３８  ＩＣ制御用回路基板
２４１  大歯車
２４２  小歯車
３１１  螺合部材
４２１  断熱層
４５１  螺着部材
５２１  収容室
５２２  発光槽
５５１  コイル本体
５５２  第１の電極片
５５２’  第２の電極片
５５３  第２の極片部
５５３’  第２の極片部
２３８１  発光素子
【図１】
0003186980.tif 000003
【図２】
0003186980.tif 000004
【図３】
0003186980.tif 000005
【図４】
0003186980.tif 000006
【図５】
0003186980.tif 000007
【図６】
0003186980.tif 000008
【図７】
0003186980.tif 000009
【図８】
0003186980.tif 000010
【図９】
0003186980.tif 000011